(57)【要約】【課題】割引券などに好適な印刷物を提供する。【解決手段】隠し情報４０が印刷された第一のシート１１と、第一のシート１１と接着剤７で貼合された第二のシート１２とからなり、第一のシート１１の隠し情報４０が印刷されたエリアとこのエリアに対向する第二のシート１２との間に剥離層６が形成され、第一のシート１１の隠し情報４０が印刷されたエリアに対向する第二のシート１２の内表面に情報隠蔽パターン５が印刷され、第二のシート１２の情報隠蔽パターン５が形成されたエリアの周縁には、第二のシート１２を部分的に切り取り可能とする切り取り部と、当該切り取り部が切り取られたときに破断する切り取り予定部と、を有する切込み３が形成され、第二のシート１２が切込み３に沿って部分的に切り取られたときに、隠し情報４０が第一のシート１１の外表面に露出するとともに、前記切り取り予定部が不規則な形状で破断することを特徴とする印刷物１である。【選択図】図５
2014076660.tif 000002
【特許請求の範囲】
【請求項１】
隠し情報が印刷された第一のシートと、当該第一のシートの少なくとも前記隠し情報が印刷されたエリアを被覆するように接着剤で貼合された第二のシートとからなる印刷物であって、
前記第一のシートの前記隠し情報が印刷されたエリアと前記隠し情報が印刷されたエリアに対向する第二のシートとの間には剥離層が形成され、
前記隠し情報が印刷されたエリアの裏側となる前記第一のシートの外表面、前記第一のシートの前記隠し情報が印刷されたエリアに対向する前記第二のシートの内表面、及びその裏側となる前記第二のシートの外表面の少なくとも１つには、当該印刷物を透かして見たときに前記隠し情報の判読を困難にするための情報隠蔽パターンが印刷され、
前記第二のシートの前記情報隠蔽パターンが形成されたエリアの周縁には、当該第二のシートを部分的に切り取り可能とする切り取り部と、当該切り取り部が切り取られたときに破断する切り取り予定部と、を有する切込みが形成され、
前記第二のシートが前記切り取り部に沿って部分的に切り取られたときに、前記隠し情報が前記第一のシートの外表面に露出するとともに、前記切り取り予定部が不規則な形状で破断することを特徴とする印刷物。
【請求項２】
隠し情報が印刷された第一のシートと、当該第一のシートの少なくとも前記隠し情報が印刷されたエリアを除いて接着剤で貼合された第二のシートとからなる印刷物であって、
前記隠し情報が印刷されたエリアの裏側となる前記第一のシートの外表面、前記第一のシートの前記隠し情報が印刷されたエリアに対向する前記第二のシートの内表面、及びその裏側となる前記第二のシートの外表面の少なくとも１つには、当該印刷物を透かして見たときに前記隠し情報の判読を困難にするための情報隠蔽パターンが印刷され、
前記第二のシートの前記情報隠蔽パターンが形成されたエリアの周縁には、当該第二のシートを部分的に切り取り可能とする切り取り部と、当該切り取り部が切り取られたときに破断する切り取り予定部と、を有する切込みが形成され、
前記第二のシートが前記切り取り部に沿って部分的に切り取られたときに、前記隠し情報が前記第一のシートの外表面に露出するとともに、前記切り取り予定部が不規則な形状で破断することを特徴とする印刷物。
【請求項３】
請求項１又は２に記載の印刷物において、
前記第二のシートの外表面には、前記隠し情報に関連付けされた固有情報が印刷され、
単独の前記固有情報、単独の前記隠し情報、又は前記固有情報と前記隠し情報とを関連付けることによって、当該印刷物の正当な利用者コードを算出可能とすることを特徴とする印刷物。
【発明の詳細な説明】
【技術分野】
【０００１】
本発明は、隠し情報を有する印刷物に関し、詳しくは、隠し情報を覗き見されず、覗き見された場合にその証拠が残るようにした印刷物に関する。
【背景技術】
【０００２】
近年、金券類はもとより割引券、ギフト券、チケット、通行券などの偽造による被害が社会問題化している。
プリンタやスキャナの精度、品質が向上し、偽造は巧妙を極める一方である。従来から、偽造を防止又は牽制するために各種の提案がなされている。そのなかで、例えば、パール印刷、ホログラム、透かしなどの技術は、材料入手の難しさや製造技術の難しさを伴い、目視でその存在が確認可能で、真偽の判別がし易いために、長年金券類の偽造防止技術として採用されてきた。
また、通常の目視状態では判別できないが、装置を使用することによってその存在を確認することができる真偽判別技術として、ブラックライトを使用する蛍光インキによる隠し印刷などが実用されている（例えば、特許文献１参照）。
【０００３】
一方、電話やインターネットにより行なわれる取引も増えつつあり、取引相手の顔が見えないために電話やインターネットの向こう側に居る利用者が正当な利用者であるか否かの判断ができなくなってきている。
また、本来は特定の者だけが利用できるようにした割引券、ギフト券、チケットなどもインターネットなどのオークションの対象になっている。
【先行技術文献】
【特許文献】
【０００４】
【特許文献１】特開平９−１７５０６７号公報
【発明の概要】
【発明が解決しようとする課題】
【０００５】
本発明は上記の課題に鑑みてなされるもので、隠し情報を適切に隠蔽し、正当な利用を促すことができる印刷物を提供することを目的とする。
【課題を解決するための手段】
【０００６】
第１の発明は、隠し情報が印刷された第一のシートと、当該第一のシートの少なくとも前記隠し情報が印刷されたエリアを被覆するように接着剤で貼合された第二のシートとからなる印刷物であって、前記第一のシートの前記隠し情報が印刷されたエリアと前記隠し情報が印刷されたエリアに対向する第二のシートとの間には剥離層が形成され、前記隠し情報が印刷されたエリアの裏側となる前記第一のシートの外表面、前記第一のシートの前記隠し情報が印刷されたエリアに対向する前記第二のシートの内表面、及びその裏側となる前記第二のシートの外表面の少なくとも１つには、当該印刷物を透かして見たときに前記隠し情報の判読を困難にするための情報隠蔽パターンが印刷され、前記第二のシートの前記情報隠蔽パターンが形成されたエリアの周縁には、当該第二のシートを部分的に切り取り可能とする切り取り部と、当該切り取り部が切り取られたときに破断する切り取り予定部と、を有する切込みが形成され、前記第二のシートが前記切り取り部に沿って部分的に切り取られたときに、前記隠し情報が前記第一のシートの外表面に露出するとともに、前記切り取り予定部が不規則な形状で破断することを特徴とする。
【０００７】
第２の発明は、隠し情報が印刷された第一のシートと、当該第一のシートの少なくとも前記隠し情報が印刷されたエリアを除いて接着剤で貼合された第二のシートとからなる印刷物であって、前記隠し情報が印刷されたエリアの裏側となる前記第一のシートの外表面、前記第一のシートの前記隠し情報が印刷されたエリアに対向する前記第二のシートの内表面、及びその裏側となる前記第二のシートの外表面の少なくとも１つには、当該印刷物を透かして見たときに前記隠し情報の判読を困難にするための情報隠蔽パターンが印刷され、前記第二のシートの前記情報隠蔽パターンが形成されたエリアの周縁には、当該第二のシートを部分的に切り取り可能とする切り取り部と、当該切り取り部が切り取られたときに破断する切り取り予定部と、を有する切込みが形成され、前記第二のシートが前記切り取り部に沿って部分的に切り取られたときに、前記隠し情報が前記第一のシートの外表面に露出するとともに、前記切り取り予定部が不規則な形状で破断することを特徴とする。
【０００８】
第３の発明は、請求項１又は２に記載の印刷物において、前記第二のシートの外表面には、前記隠し情報に関連付けされた固有情報が印刷され、単独の前記固有情報、単独の前記隠し情報単独、又は前記固有情報と前記隠し情報とを関連付けることによって、当該印刷物の正当な利用者コードを算出可能とすることを特徴とする。
【発明の効果】
【０００９】
本発明によれば、隠し情報を適切に隠蔽し、正当な利用を促すことができる印刷物を提供することができる。
【図面の簡単な説明】
【００１０】
【図１】第１実施形態の印刷物１を示す外観図である。
【図２】切り取られた第二のシート１２の一部及び隠し情報４０が露出した印刷物１を示す外観図である。
【図３】情報隠蔽パターン５と剥離層６との位置関係を示す外観図である。
【図４】印刷物１を透かしたときの見え方を示す説明図である。
【図５】図１のＡ−Ａ線に対応する断面図である。
【図６】切込み３から切り取られた第二のシート１２を示す部分拡大図である。
【図７】切込み３から切り取られた第二のシート１２の他の実施形態を示す部分拡大図である。
【図８】第２実施形態の印刷物１Ａの断面図である。
【発明を実施するための形態】
【００１１】
［第１実施形態］
まず、本発明に係る印刷物の第１実施形態について説明する。ここでは、本発明に係る印刷物を割引券に適用した場合の実施形態について説明する。なお、前述したように、本発明に係る印刷物は、割引券のほかに、例えば、ギフト券、チケット、通行券なども対象となる。
【００１２】
図１は、第１実施形態の印刷物１を示す外観図である。図２は、切り取られた第二のシート１２の一部及び隠し情報４０が露出した印刷物１を示す外観図である。図３は、情報隠蔽パターン５と剥離層６との位置関係を示す外観図である。図４は、印刷物１を透かしたときの見え方を示す説明図である。図５は、図１のＡ−Ａ線に対応する断面図である。図６は、切込み３から切り取られた第二のシート１２を示す部分拡大図である。
【００１３】
本実施形態の印刷物１は、図１に示す隠し情報印刷エリア４に、隠し情報４０（図５参照）が印刷された第一のシート１１と、第一のシート１１の少なくとも隠し情報印刷エリア４を被覆するように接着剤層（以下、接着剤ともいう）７で貼合された第二のシート１２と、からなる。
【００１４】
図５に示すように、第一のシート１１の隠し情報４０が印刷されたエリア（図１の隠し情報印刷エリア４）と、隠し情報４０が印刷されたエリアに対向する第二のシート１２との間には、剥離層６が形成されている。剥離層６は、弱い接着力を有する粘着層である。印刷物１において、隠し情報４０が印刷されたエリアに対向する第二のシート１２が部分的に切り取られると、剥離層６が接着剤７から離間して、情報隠蔽パターン５（後述）とともに第二のシート１２が切り取られる。この状態で剥離層６の接着力はほとんどなくなるため、切り取った第二のシート１２を第一のシート１１に貼り付けても、両者が元のように貼合されることはない。
【００１５】
なお、第一のシート１１に形成された接着剤７の表面に接着剤などを塗り付けても、剥離層６との間で十分な接着力が得られず、剥がれ易くなる。そのため、切り取った第二のシート１２と第一のシート１１とを、接着剤などを介して貼り付けても、両者を元のように貼合することは困難である。
【００１６】
また、図５に示すように、第一のシート１１の隠し情報４０が印刷されたエリアに対向する第二のシート１２の内表面には、情報隠蔽パターン５が印刷されている。
本実施形態において、情報隠蔽パターン５とは、印刷物１を透かしてみたときに、隠し情報４０の判読を困難にするためのパターンをいう。すなわち、情報隠蔽パターン５とは、隠し情報４０を印刷物１の表面から透かして見ても、図４に示すように、隠し情報４０と情報隠蔽パターン５とが重なってカモフラージュされ、判読できないようにしたパターンのことをいう。なお、本実施形態では、図３に示すように、情報隠蔽パターン５の一例として、１６個の数字からなる列を２段に配置した例を示したが、情報隠蔽パターン５は、この例に限定されない。すなわち、情報隠蔽パターン５は、隠し情報４０を印刷物１の表面から透かして見たときに、隠し情報４０と重なってカモフラージュされ、判読できないようにすることができれば、どのような形態のパターンであってもよい。
【００１７】
また、図５に示すように、第二のシート１２の情報隠蔽パターン５が形成されたエリアの周縁内側には、切込み３が形成されている。切込み３は、図６に示すように、第二のシート１２を部分的に切り取り可能とする切り取り部３０と、この切り取り部３０が切り取られたときに破断する切り取り予定部３１と、を有する。切り取り部３０は、第二のシート１２の断面を貫通するように切断された部分である。切り取り予定部３１は、切り取り部３０の形成されていない部分、すなわち、第二のシート１２の断面が切断されずに保持されている部分である。なお、切込み３については、後に詳述する。
【００１８】
切込み３（切り取り部３０）に沿って第二のシート１２を部分的に切り取ることにより、図２に示すように、第一のシート１１に印刷された隠し情報４０を露出させることができる。また、切込み３に沿って第二のシート１２を部分的に切り取ると、後述するように、切り取り予定部３１が不規則な形状で破断する。図２では、第二のシート１２の切り取られた部分を、「第二のシート１２ａ」として示している。第二のシート１２ａを切り取った際に、内表面（裏面）には、印刷された情報隠蔽パターン５が残った状態となる。
【００１９】
なお、切込み３において、切り取り予定部３１は、本実施形態のように、第二のシート１２の断面を貫通するように切断されていなくてもよい。すなわち、切り取り予定部３１は、第二のシート１２の断面を略半分だけ貫通するように切断された、いわゆるハーフカットであってもよい。
また、本実施形態では、図５に示すように、切込み３が接着剤層７に達するように図示したが、切込み３は、第二のシート１２を貫通すれば十分である。
【００２０】
本実施形態の印刷物１は、切込み３に沿って第二のシート１２が部分的に切り取られると、切り取り予定部３１が不規則な形状で破断する。そのため、隠し情報４０を覗き見した跡を修復させても、修復跡には凹凸や裂け目などが残るので、正当な利用者でない者（以下、不正者ともいう）による覗き見があったことを目視で判別することができる。本実施形態において、「覗き見」とは、不正者が印刷物１の切込み３に沿って第二のシート１２を部分的に切り取って、隠し情報４０を読み取る行為や、不正者が印刷物１に光を当て、その反対側から透かして見ることにより、第一のシート１１に印刷された隠し情報４０を読み取ろうとする行為などをいう。
【００２１】
なお、情報隠蔽パターン５は、隠し情報４０が印刷されたエリアの裏側となる第一のシート１１の外表面に印刷されていてもよいし、第一のシート１１の隠し情報４０が印刷されたエリアに対向する第二のシート１２の外表面に印刷されていてもよい。また、情報隠蔽パターン５は、第一のシート１１及び第二のシート１２のそれぞれの外表面に印刷されていてもよい。
【００２２】
情報隠蔽パターン５は、隠し情報４０の印刷色（実際には、プリンタによって形成されるためにプリンタによる黒色のインキ）に近い印刷色による、数字、記号、デザイン図柄によるパターン、又は、網点、べた印刷により印刷される。
隠し情報４０が、前述の黒色ではなく赤や、青、又は、その混色のインキでプリントされる場合は、情報隠蔽パターン５は、プリントされた色と同系色で、プリントされた色より濃度が濃い色で印刷する。
【００２３】
また、印刷物（割引券）１の表面には、図１に示すように、この印刷物１が割引券であることを示す「会員割引優待券」という表示、この割引券の有効期間を示す「２０ＸＸ年９月１日〜２０ＸＹ年８月３０日」の文言、発行元である「○○株式会社」の文言が印刷されている。
また、「会員割引優待券」という表示の上部には、管理番号でもある割引優待券に固有の固有情報２が印刷されている。
【００２４】
次に、本実施形態の印刷物１の切込み３に沿って第二のシート１２を剥がし、隠し情報４０を表出させた状態について説明する。
図１に示すように、切込み３は、隠し情報４０（図２参照）が印刷された隠し情報印刷エリア４に対向する第二のシート１２の周縁、すなわち、第二のシート１２を切込み３に沿って部分的に切り取ったときに、第一のシート１１に印刷された隠し情報４０全体が露出する位置に形成されている。
切込み３に沿って、切り取り予定部３１を破断させながら第二のシート１２を部分的に切り取ると、図２に示すように、第一のシート１１に印刷された隠し情報４０が露出する。
【００２５】
本実施形態の場合、隠し情報４０は、図５に示すように第一のシート１１に直接印刷（印字）され、剥離層６及び情報隠蔽パターン５が印刷された第二のシート１２と接着剤層７によって、全面又は少なくとも隠し情報４０を被覆する状態で貼合されている。したがって、図２に示すように、透明な接着剤７（及び剥離層６）が表出し、その背後に隠し情報４０が露出する。
【００２６】
次に、図５、図６を参照して、第二のシート１２を切込み３に沿って部分的に切り取ったときに、切り取り予定部３１が不規則な形状で破断することについて説明する。切込み３は、図５に示すように、第二のシート１２と、剥離層６を貫通し、接着剤７に到達するように形成されている。
【００２７】
本実施形態の切込み３は、図６に示すように、切り取り部３０と、切り取り予定部３１と、を有する。切り取り部３０は、第二のシート１２の上辺に平行な直線部３０ａと、その延長上に外側（上側）に跳ね上がった、かぎ状の部分３０ｂと、からなる。切り取り予定部３１は、上辺に平行な直線部３０ａと、かぎ状の部分３０ｂとの間に形成されている。
【００２８】
図６に示すように、第二のシート１２を切込み３に沿って矢印８１の方向から矢印８２の方向に向かって切り取ってゆくと、切り取り予定部３１が破断部３００で破断し、以後、切り取り部３０、切り取り予定部３１（破断部３００）、切り取り部３０・・・という順に交互に切断されてゆく。
【００２９】
切り取り予定部３１の破断部３００は、図６に示すように一様ではない。しかも、切り取り予定部３１の破断部３００には、第一のシート１１、第二のシート１２を構成する紙の繊維が複雑に出現する。
したがって、第二のシート１２を切込み３に沿って切り取った後、隠し情報４０を覗き見した跡を修復させても、修復跡には凹凸や裂け目などが残るので、不正者による覗き見があったことを目視で判別することができる。
【００３０】
次に、図７を参照して、第二のシート１２に形成された切込み３の他の実施形態について説明する。図７は、切込み３から切り取られた第二のシート１２の他の実施形態を示す部分拡大図である。図７では、図６と同等部分に同一符号を付して説明する。
【００３１】
本実施形態の切込み３は、図７に示すように、かぎ状の部分３０ｂが、図６とは逆向きに形成されている。切り取り予定部３１は、上辺に平行な直線部３０ａと、かぎ状の部分３０ｂとの間に形成されている。
【００３２】
本実施形態においても、図７に示すように、第二のシート１２を切込み３に沿って矢印８１の方向から矢印８２の方向に向かって切り取ってゆくと、切り取り予定部３１が破断部３００で破断し、以後、切り取り部３０、切り取り予定部３１（破断部３００）、切り取り部３０・・・という順に交互に切断されてゆく。
また、切り取り予定部３１の破断部３００についても、図７に示すように一様ではなく、第一のシート１１、第二のシート１２を構成する紙の繊維が複雑に出現する。
【００３３】
したがって、図７に示す実施形態において、第二のシート１２を切込み３に沿って切り取った後、隠し情報４０を覗き見した跡を修復させても、修復跡には凹凸や裂け目などが残るので、不正者による覗き見があったことを目視で判別することができる。
【００３４】
次に、図２を参照して、隠し情報４０に関連付けされた固有情報２によって、正当な利用者コードを特定する一例について説明する。
切込み３から第二のシート１２を部分的に剥がすことなく、印刷物１がインターネットなどのオークションに売りに出された場合は、固有情報２だけで正当な利用者コードを割り出すことができる。
【００３５】
その場合、予め「会員割引優待券」の利用者に関する個人情報と、その利用者に割り当てられた固有情報２とを対応付けて、データベースに登録しておく。その上で、「会員割引優待券」の発行元である「○○株式会社」は、オークションサイトの画面などから取得した固有情報２の「ＡＡ１２３４５６７８９−ＸＹＺ００９９」を元に、データベースにアクセスすることによって、この番号が印刷された「会員割引優待券」の利用者を特定することができる。
【００３６】
また、データベースにアクセスすることなく、固有情報２の「ＡＡ１２３４５６７８９−ＸＹＺ００９９」の前半の数字部分「１２３４５６７８９」の９桁の数字から、例えば、「１３５７９」の５桁の数字を差し引くことによって利用者コードを算出するようにしてもよい。利用者コードは、利用者ごとに付与された個別の識別情報である。また、隠し情報４０から、同様な手法により利用者コードを算出するようにしてもよい。
【００３７】
次に、図５を参照して本実施形態の印刷物の作製方法と、材料について具体例を説明する。
巻き取り紙による第二のシート１２に輪転オフセット印刷方式で図柄印刷、情報隠蔽パターン５、剥離層６を印刷し、インラインで切込み３と、丁合とプリンタに必要な送り孔を形成した。また、巻き取り紙による第一のシート１１には、所定の印刷を行ない、同様の目的で送り孔を形成した。第一のシート１１、第二のシート１２には何れも、三菱製紙ＤＦカラーマット１０５ｇ／ｍ２を使用し、印刷には、市販のオフセットインキを使用した。ロール紙による第一のシート１１に隠し情報４０を、上述の第二のシート１２に固有情報２を、何れもインキジェットプリンタにより印字した。そして、丁合装置により第一のシート１１の隠し情報４０の印字面に接着剤層７を形成して第二のシート１２を貼合し、印刷物１を得た。
【００３８】
上述した第１実施形態の印刷物１によれば、例えば、以下のような効果が得られる。
不正者が、第１のシート１１と第２のシート１２とが貼合された状態で隠し情報４０を覗き見ようとしても、隠し情報４０と情報隠蔽パターン５とが重なってカモフラージュされる。そのため、不正者が覗き見により印刷物１の隠し情報４０を判読することができなくなる。
【００３９】
また、切込み３に沿って第二のシート１２が部分的に切り取られると、切り取り予定部３１が不規則な形状で破断するため、接着剤などで修復しようとしても元のような切込み３の状態に戻すことは困難になる。また、隠し情報４０の表面には剥離層６が残るため、接着剤などを塗布しても十分な接着力が得られず、剥がれ易くなる。したがって、隠し情報４０を覗き見した跡を修復させても、不正者による覗き見があったことを目視で判別することができる。
【００４０】
また、印刷物１に印刷された固有情報２によって、正当な利用者の利用者コードを算出することができる。そのため、印刷物１がインターネットなどのオークションの対象となっている場合、オークションサイトの画面などから固有情報２を取得することによって、正当な利用者を割り出すことが可能となる。
したがって、第１実施形態の印刷物１によれば、隠し情報４０を適切に隠蔽し、正当な利用を促すことができる。
【００４１】
［第２実施形態］
次に、本発明に係る印刷物の第２実施形態について、図８を参照しながら説明する。図８は、第２実施形態の印刷物１Ａの断面図であり、第１実施形態の図５（図１のＡ−Ａ線断面）に相当する。以下、第２実施形態の印刷物１Ａの特徴的な構成を、第１実施形態（図５）と同等部分に同一符号を付して説明する。
【００４２】
図８に示すように、本実施形態の印刷物１Ａは、隠し情報４０が印刷された第一のシート１１と、第一のシート１１の少なくとも隠し情報印刷エリア４（図１参照）を除いて、接着剤７で貼合された第二のシート１２と、からなる。すなわち、第２実施形態の印刷物１Ａは、第一のシート１１及び第二のシート１２が、第一のシート１１の少なくとも隠し情報印刷エリア４において、接着剤７を介さずに貼合わされている。その他の構成は、第１実施形態の印刷物１と同じである。
上述した第２実施形態の印刷物１Ａにおいても、第１実施形態の印刷物１と同等の効果を得ることができる。
【００４３】
なお、本実施形態においても、情報隠蔽パターン５は、隠し情報４０が印刷されたエリアの裏側となる第一のシート１１の外表面に印刷されていてもよいし、第一のシート１１の隠し情報４０が印刷されたエリアに対向する第二のシート１２の外表面に印刷されていてもよい。また、情報隠蔽パターン５は、第一のシート１１及び第二のシート１２のそれぞれの外表面に印刷されていてもよい。
【００４４】
また、本実施形態の構成において、剥離層６は無くてもよい。その場合、切り取られた第二のシート１２ａ（図２参照）を、接着剤などで貼り付けることは容易になる。しかし、切り取り予定部３１が不規則な形状で破断するため、接着剤などで修復させても、不正者による覗き見があったことを目視で判別することは可能となる。
【産業上の利用可能性】
【００４５】
本発明に係る印刷物は、金券類、割引券、ギフト券、チケット、通行券などに利用できる。
【符号の説明】
【００４６】
１、１Ａ  印刷物
２  固有情報
３  切込み
４  隠し情報印刷エリア
５  情報隠蔽パターン
６  剥離層
７  接着剤層（接着剤）
１１  第一のシート
１２  第二のシート
３０  切り取り部
３１  切り取り予定部
４０  隠し情報
３００  破断部
【図１】
2014076660.tif 000003
【図２】
2014076660.tif 000004
【図３】
2014076660.tif 000005
【図４】
2014076660.tif 000006
【図５】
2014076660.tif 000007
【図６】
2014076660.tif 000008
【図７】
2014076660.tif 000009
【図８】
2014076660.tif 000010